(57)【要約】【課題】  ユーザの作画意図を最大限に汲み取った上で、フィルム画像をデジタル画像信号に変換することができるようにする。【解決手段】  ホストＰＣ２００のプレスキャン制御部２１０からの動作信号により、本スキャンに先立ってフィルムスキャナ１００にてフィルムＦ上に現像されたフィルム画像をプレスキャンする。プレスキャン制御部２１０は、プレスキャンにより得られた画像に基づいて露光状態を異ならせた複数のイメージ画像を生成してモニタ２０２へ選択肢として表示させる。ユーザは、表示された複数のイメージ画像から好みのイメージ画像を選択し、この選択されたイメージ画像に基づいて露光パラメータが求められる。本スキャン制御部２３１は、前記露光パラメータを露光量制御部に設定し、前記フィルム画像の本スキャンを実行させる。【選択図】      図３
2006115209.tif 000002
【特許請求の範囲】
【請求項１】
フィルム上に現像されたフィルム画像をプレスキャンし、
前記プレスキャンにより得られた画像に基づいて露光状態を異ならせた複数のイメージ画像を生成して所定の表示装置に選択肢として表示し、
表示された複数のイメージ画像に対するユーザの選択操作を受け付け、
選択されたイメージ画像に基づいて露光パラメータを求め、該露光パラメータに基づいて前記フィルム画像の本スキャンを実行することを特徴とする画像入力方法。
【請求項２】
フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムにおいて、
前記制御部は、前記撮像手段にフィルム画像を撮像させて実際に画像を記録する本スキャンを実行させる本スキャン制御部と、前記本スキャンの前に前記撮像手段に前記フィルム画像を撮像させるプレスキャンを行わせると共に所定の処理を実行させるプレスキャン制御部とを備え、
前記プレスキャン制御部は、前記撮像手段に前記プレスキャンの撮像動作を行わせるプレスキャン撮像制御部と、当該プレスキャンにより得られた画像に基づいて露光状態を異ならせた複数のイメージ画像を生成して前記表示手段に選択肢として表示させるイメージ画像生成部と、選択されたイメージ画像に基づいて露光パラメータを算出する露光パラメータ算出部とを備え、
前記本スキャン制御部は、前記露光パラメータ算出部にて求められた露光パラメータを前記本スキャンにおける露光パラメータとして前記露光量制御手段に設定した上で本スキャンを実行させる制御を行うことを特徴とする画像入力システム。
【請求項３】
前記イメージ画像生成部は、予め記憶させたフィルム銘柄毎のフィルム特性に応じて、複数のイメージ画像を生成するものであることを特徴とする請求項２記載の画像入力システム。
【請求項４】
前記イメージ画像生成部は、濃度を異ならせた複数のイメージ画像を生成するものであることを特徴とする請求項２記載の画像入力システム。
【請求項５】
前記プレスキャン制御部は、前記プレスキャンにより得られた画像から、ヒストグラム情報を重点的に取得する測光重点位置を選択可能とする測光重点位置選択部を備えていることを特徴とする請求項４記載の画像入力システム。
【請求項６】
前記プレスキャン制御部は、複数のイメージ画像を生成する基準となる露光基準の指定を可能とする露光基準選択部を備えていることを特徴とする請求項４又は５記載の画像入力システム。
【請求項７】
前記フィルムがカラーネガフィルムであることを特徴とする請求項２〜６のいずれかに記載の画像入力システム。
【請求項８】
前記本スキャン制御部は、複数の色別に本スキャンを実行可能とされ、
前記露光量制御手段は、前記複数の色別に露光パラメータを設定可能とされていることを特徴とする請求項２記載の画像入力システム。
【請求項９】
フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムにおいて、
前記制御部は、前記撮像手段にフィルム画像を撮像させて実際に画像を記録する本スキャンを実行させる本スキャン制御部と、前記本スキャンの前に前記撮像手段に前記フィルム画像を撮像させるプレスキャンを行わせると共に所定の処理を実行させるプレスキャン制御部とを備え、
前記プレスキャン制御部は、前記撮像手段に前記プレスキャンの撮像動作を行わせるプレスキャン撮像制御部と、予め記憶させたフィルム銘柄毎のフィルム特性に応じて複数のイメージ画像を生成して前記表示部に選択肢として表示させる第１イメージ画像生成部と、濃度を異ならせた複数のイメージ画像を生成して前記表示手段に選択肢として表示させる第２イメージ画像生成部と、前記第１及び第２イメージ画像生成部のいずれを活用するかのモード選択を受け付けるモード選択部と、選択されたイメージ画像に基づいて露光パラメータを算出する露光パラメータ算出部とを備え、
前記本スキャン制御部は、前記露光パラメータ算出部にて求められた露光パラメータを前記本スキャンにおける露光パラメータとして前記露光量制御手段に設定した上で本スキャンを実行させる制御を行うことを特徴とする画像入力システム。
【請求項１０】
フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムの動作プログラムであって、前記制御部に、
フィルム画像を撮像して実際に記録する本スキャンの前に前記撮像手段にプレスキャンを実行させるステップと、
当該プレスキャンにて撮像された画像に基づいて露光状態を異ならせた複数のイメージ画像を生成して前記表示手段に選択肢として表示させるステップと、
ユーザにより選択されたイメージ画像の露光パラメータを算出するステップと、
前記露光パラメータを前記本スキャンにおける露光パラメータとして前記露光量制御手段に設定した上で本スキャンを行わせるステップと
を含むステップを実行させるための画像入力システム用動作プログラム。
【発明の詳細な説明】
【技術分野】
【０００１】
本発明は、フィルム上に現像されたフィルム画像を電子的に撮像し、デジタル画像信号に変換して記録するための画像入力方法、画像入力システム及びその動作プログラムに関するものである。
【背景技術】
【０００２】
従来、コンピュータの周辺装置として、３５mmネガフィルム等のコマ画像（フィルム画像）を、例えばＣＣＤ（Charge Coupled Device）からなるラインセンサにて撮像し、この撮像した画像信号をデジタルデータに変換すると共に信号処理してコンピュータに転送するフィルムスキャナシステム（画像入力システム）が知られている。また、同様の機能を備え、フィルム画像を電子画像に変換するラボ機等も知られている。この種のフィルムスキャナシステムやラボ機等においては、フィルム画像を撮像させて実際に画像を記録する本スキャンを実行させる前にプレスキャンを実行させ、該プレスキャンによって得られた画像データに基づいて露光時間等の条件を算出し、この算出された条件で本スキャンを行うことが一般的に行われている。
【０００３】
このような画像入力を行うに当たり、ユーザの作画意図を最大限に汲み取った上で、フィルム画像をデジタル画像信号に変換できるようにすることが望ましい。すなわち、単に前記プレスキャンにより得られた画像から露光条件を自動的に決定し本スキャンを行うのではなく、フィルム画像をユーザが好む状態の画像が得られるような露光条件にアレンジした上で本スキャンを実行させ得るようにすることが望ましい。
【０００４】
従来、上記要望に対応する手法として、例えば特許文献１には、色変換テーブルからユーザが好みの変換条件を選択することで好みの色変換を実現する手法が開示されている。具体的には、表示部に色変換すべき画像に隣接させてサンプル画像を表示させ、ユーザが前記サンプル画像を参照しつつ好みの色になるように色相、諧調、彩度、明度等の色加工データの値を調整する（つまり、ユーザが好みの色にマッチした色加工データ値をサーチする）するというものである。
【特許文献１】特開２００２−７７６５９号公報
【発明の開示】
【発明が解決しようとする課題】
【０００５】
しかしながら、上記特許文献１の手法では、サンプル画像に基づき取得した色加工データ値を色変換すべき画像へ適用した場合に、どのような画像が実際に得られるかを判断するには一般に熟練を要する。すなわち、ユーザが本来求めている作画意図に沿った画像が前記色加工データ値にて本当に得られるのかが容易に判断することができないという不都合があった。
【０００６】
従って本発明は、ユーザの作画意図を最大限に汲み取った上で、フィルム画像をデジタル画像信号に変換することができる画像入力方法、画像入力システム及びその動作プログラムを提供することを目的とする。
【課題を解決するための手段】
【０００７】
本発明の画像入力方法は、フィルム上に現像されたフィルム画像をプレスキャンし、前記プレスキャンにより得られた画像に基づいて露光状態を異ならせた複数のイメージ画像を生成して所定の表示装置に選択肢として表示し、表示された複数のイメージ画像に対するユーザの選択操作を受け付け、選択されたイメージ画像に基づいて露光パラメータを求め、該露光パラメータに基づいて前記フィルム画像の本スキャンを実行することを特徴とする（請求項１）。
【０００８】
この方法によれば、プレスキャンにより得られた画像に基づいて露光状態を異ならせた複数のイメージ画像を生成して所定の表示装置に選択肢として表示するので、ユーザは露光状態が異なる複数のイメージ画像を実際に視認した上で好みのイメージ画像を選択することが可能となる。そして、好みのイメージ画像を選択されたならば、当該選択されたイメージ画像に基づいて露光パラメータが求められ、この露光パラメータに基づいてフィルム画像の本スキャンが実行されるので、ユーザが好む露光状態での画像を取得（読み取り）できるようになる。
【０００９】
本発明の画像入力システムは、フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムにおいて、前記制御部は、前記撮像手段にフィルム画像を撮像させて実際に画像を記録する本スキャンを実行させる本スキャン制御部と、前記本スキャンの前に前記撮像手段に前記フィルム画像を撮像させるプレスキャンを行わせると共に所定の処理を実行させるプレスキャン制御部とを備え、前記プレスキャン制御部は、前記撮像手段に前記プレスキャンの撮像動作を行わせるプレスキャン撮像制御部と、当該プレスキャンにより得られた画像に基づいて露光状態を異ならせた複数のイメージ画像を生成して前記表示手段に選択肢として表示させるイメージ画像生成部と、選択されたイメージ画像に基づいて露光パラメータを算出する露光パラメータ算出部とを備え、前記本スキャン制御部は、前記露光パラメータ算出部にて求められた露光パラメータを前記本スキャンにおける露光パラメータとして前記露光量制御手段に設定した上で本スキャンを実行させる制御を行うことを特徴とする（請求項２）。
【００１０】
この構成によれば、プレスキャン制御部のイメージ画像生成部により、プレスキャンにより得られた画像に基づいて露光状態を異ならせた複数のイメージ画像が生成され、該イメージ画像が所定の表示装置に選択肢として表示されるので、ユーザは露光状態が異なる複数のイメージ画像を実際に視認した上で好みのイメージ画像を選択することが可能となる。そして、好みのイメージ画像を選択されたならば、当該選択されたイメージ画像に基づいて露光パラメータ算出部により露光パラメータが求められる。そして、前記露光パラメータ算出部にて求められた露光パラメータに基づいて、本スキャン制御部によりフィルム画像の本スキャンが実行されるので、ユーザが好む露光状態での画像を取得できるようになる。
【００１１】
上記構成において、前記イメージ画像生成部は、予め記憶させたフィルム銘柄毎のフィルム特性に応じて、複数のイメージ画像を生成する構成とすることができる（請求項３）。この構成によれば、フィルム銘柄毎のフィルム特性に基づいて複数のイメージ画像が生成されることから、端的にフィルム画像が現像されているフィルムのフィルム特性に応じたイメージ画像を確認することができ、好みに合えばユーザはこれを選択することができる。さらには、他の銘柄にかかるフィルム特性に基づくイメージ画像も表示されるので、作画意図にマッチする他のイメージ画像があれば、これを選択することが可能となる。
【００１２】
上記構成において、前記イメージ画像生成部は、濃度を異ならせた複数のイメージ画像を生成する構成とすることができる（請求項４）。この構成によれば、例えばＲ，Ｇ，Ｂ，Ｃ，Ｍ，Ｙの色選択、撮影光源に基づく色選択、或いは色温度／ＣＣ指数に基づく色選択等を選択条件として、濃度を異ならせた複数のイメージ画像を表示させ、ユーザはこれらイメージ画像を実際に視認した上で好みのイメージ画像を選択することができるようになる。
【００１３】
上記請求項４にかかる構成において、前記プレスキャン制御部は、前記プレスキャンにより得られた画像から、ヒストグラム情報を重点的に取得する測光重点位置を選択可能とする測光重点位置選択部を備えている構成とすることが望ましい（請求項５）。この構成によれば、フィルム画像の特定の画像部分にマッチした露出評価値を取得できるので、プレスキャンによる撮影画像をデフォルト表示等させる場合に、よりユーザの好みに近い露光状態で表示させることが可能となる。
【００１４】
上記請求項４又は５にかかる構成において、前記プレスキャン制御部は、複数のイメージ画像を生成する基準となる露光基準の指定を可能とする露光基準選択部を備えている構成とすることが望ましい（請求項６）。この構成によれば、例えばフィルム画像の暗部をターゲットとするシャドー基準、平均部をターゲットとする平均値基準、或いは明るい部分をターゲットとするハイライト基準など、ユーザの好みを大別的に区画する露光基準選択肢を設定できるようになる。
【００１５】
上記請求項２〜６のいずれかにかかる構成において、前記フィルムがカラーネガフィルムであることが好ましい（請求項７）。カラーネガフィルムは、ポジフィルムとは異なり、９ＥＶ程度の広いラチチュード（有効露光域）を備えている。これは、１枚のフィルム画像から多様な露光条件で有効な画像を取得できることに繋がる。つまり、１枚のフィルム画像から全く印象の異なる画像を取得出来る可能性があることになる。従って、本画像入力システムにおいてカラーネガフィルムに現像されたフィルム画像を撮像すれば、広範なバリエーションのイメージ画像を生成することが可能となり、ユーザの選択肢を拡大することができるようになる。
【００１６】
上記請求項２にかかる構成において、前記本スキャン制御部は、複数の色別に本スキャンを実行可能とされ、前記露光量制御手段は、前記複数の色別に露光パラメータを設定可能とされていることが望ましい（請求項８）。この構成によれば、例えばＲＧＢの色別にそれぞれ好ましい露光時間を設定し、色別に本スキャンを行って画像データを取得することができるので、濃度調整だけでなくホワイトバランスの制御等も可能となり、ゲイン調整だけでは十分に再現できないような繊細な画像を形成することが可能となる。
【００１７】
また本発明の他の画像入力システムは、フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムにおいて、前記制御部は、前記撮像手段にフィルム画像を撮像させて実際に画像を記録する本スキャンを実行させる本スキャン制御部と、前記本スキャンの前に前記撮像手段に前記フィルム画像を撮像させるプレスキャンを行わせると共に所定の処理を実行させるプレスキャン制御部とを備え、前記プレスキャン制御部は、前記撮像手段に前記プレスキャンの撮像動作を行わせるプレスキャン撮像制御部と、予め記憶させたフィルム銘柄毎のフィルム特性に応じて複数のイメージ画像を生成して前記表示部に選択肢として表示させる第１イメージ画像生成部と、濃度を異ならせた複数のイメージ画像を生成して前記表示手段に選択肢として表示させる第２イメージ画像生成部と、前記第１及び第２イメージ画像生成部のいずれを活用するかのモード選択を受け付けるモード選択部と、選択されたイメージ画像に基づいて露光パラメータを算出する露光パラメータ算出部とを備え、前記本スキャン制御部は、前記露光パラメータ算出部にて求められた露光パラメータを前記本スキャンにおける露光パラメータとして前記露光量制御手段に設定した上で本スキャンを実行させる制御を行うことを特徴とする（請求項９）。
【００１８】
この構成によれば、イメージ画像を生成させるにあたり、予め記憶させたフィルム銘柄毎のフィルム特性に応じて複数のイメージ画像を生成して前記表示部に選択肢として表示させる第１イメージ画像生成部と、濃度を異ならせた複数のイメージ画像を生成して前記表示部に選択肢として表示させる第２イメージ画像生成部を大別的な選択肢として用意し、これらをモード選択部にて選択可能としたので、ユーザのイメージ画像選択肢を拡大することができるようになる。
【００１９】
本発明の画像入力システム用動作プログラムは、フィルム上に現像されたフィルム画像を電子的に撮像する撮像手段と、前記画像の撮像時における露光量を制御する露光量制御手段と、前記撮像手段により撮像された画像を表示する表示手段と、撮像した画像信号を記録する記憶手段と、撮像動作を制御する制御部とを具備する画像入力システムの動作プログラムであって、前記制御部に、フィルム画像を撮像して実際に記録する本スキャンの前に前記撮像手段にプレスキャンを実行させるステップと、当該プレスキャンにて撮像された画像に基づいて露光状態を異ならせた複数のイメージ画像を生成して前記表示手段に選択肢として表示させるステップと、ユーザにより選択されたイメージ画像の露光パラメータを算出するステップと、前記露光パラメータを前記本スキャンにおける露光パラメータとして前記露光量制御手段に設定した上で本スキャンを行わせるステップとを含むステップを実行させるためのものである（請求項１０）。
【発明の効果】
【００２０】
請求項１にかかる画像入力方法によれば、ユーザは露光状態が異なる複数のイメージ画像を実際に視認した上で好みのイメージ画像を選択することができるので、好みに合う画像を容易に識別でき、これにより作画意図にマッチした露光条件を確実に設定することができるので、特段熟練を要することなくフィルム画像から好みのデジタル画像データを取得できるようになる。
【００２１】
請求項２にかかる画像入力システム、及び請求項１０にかかる画像入力システム用動作プログラムによれば、ユーザはプレスキャン制御部のイメージ画像生成部により生成される露光状態が異なる複数のイメージ画像を実際に視認した上で好みのイメージ画像を選択することができるので、好みに合う画像を容易に識別し、選択できるようになる。そして、露光パラメータ算出部により、選択されたイメージ画像に基づいてユーザの好みにマッチする露光パラメータが算出され、該露光パラメータに基づいて本スキャン制御部によりフィルム画像の本スキャンが実行されるので、特段熟練を要することなくフィルム画像から好みのデジタル画像データを取得できるようになる。
【００２２】
請求項３にかかる画像入力システムによれば、フィルム銘柄毎のフィルム特性に基づいて複数のイメージ画像が生成され、これらイメージ画像が選択肢として表示されるので、ユーザは簡易的に好みの画像（露光条件）を選択できるという利点がある。
【００２３】
請求項４にかかる画像入力システムによれば、濃度を異ならせた複数のイメージ画像が表示され、ユーザはこれらイメージ画像を実際に視認した上で好みのイメージ画像を選択することができるので、ユーザは様々なバリエーションの中から、好みの画像（露光条件）を選択できるという利点がある。
【００２４】
請求項５にかかる画像入力システムによれば、例えば人物優先や背景優先等、フィルム画像の特定の画像部分にマッチした露出評価値を取得できる。従って、プレスキャンによる撮影画像をデフォルト表示等させる場合に、よりユーザの好みに近い露光状態で表示させることができるので、ユーザによるイメージ画像の選択作業の効率化を図ることができる。
【００２５】
請求項６にかかる画像入力システムによれば、例えばシャドー基準、平均値基準、或いはハイライト基準など、ユーザの好みを大別的に区画する露光基準選択肢を設定できることから、ユーザによるイメージ画像の選択作業の効率化を図ることができる。
【００２６】
請求項７にかかる画像入力システムによれば、カラーネガフィルムが有する広いラチチュードを生かし、広範なバリエーションのイメージ画像を生成することが可能となり、ユーザの選択肢を拡大することができるようになる。
【００２７】
請求項８にかかる画像入力システムによれば、濃度調整だけでなくホワイトバランスの制御も可能となり、ゲイン調整だけでは十分に再現できないような繊細な画像を形成することが可能となる。従って、フィルム画像に基づいてより高品質なデジタル画像を形成することが可能となる。
【００２８】
請求項９にかかる画像入力システムによれば、第１及び第２イメージ画像生成部を大別的な選択肢として用意し、これらをモード選択部にて選択可能としたので、ユーザはより多様なイメージ画像の中から好みの画像を選択できるという利点がある。
【発明を実施するための最良の形態】
【００２９】
（全体構成の説明）
以下図面に基づいて、本発明の実施形態にかかる画像入力システムについて説明する。図１は、本実施形態にかかる画像入力システム（フィルム画像読取システム）１の全体構成図、図２は、フィルムスキャナ１００の外観を示す斜視図である。この画像入力システム１は、フィルムスキャナ１００と、ホストコンピュータ２００（以下、ホストＰＣ２００という）とから構成される。
【００３０】
フィルムスキャナ１００（撮像手段）は、図２に示すように、前面の下部に電源スイッチ１０１と焦点調整用操作ボタン１０２とが設けられ、この焦点調整用操作ボタン１０２の上部にフィルム挿入口１０３が設けられている。焦点調整用操作ボタン１０２は、現像済みのフィルムＦの光像を後述する撮像素子としてのＣＣＤ（Charge Coupled Device）１０４の撮像面に結像するレンズ系１０５（図３参照）の焦点調節を行うものである。また、フィルム挿入口１０３はフィルムＦの各コマに撮影された画像（フィルム画像）を読み取るべくフィルムＦをセットするためのもので、ごみ等の侵入を防止するためシャッタ１０６が開閉可能に設けられている。
【００３１】
フィルムスキャナ１００は、フィルムＦ、具体的にはスライド（マウントされたポジフィルム）Ｆ１及び専用のネガキャリアに装着されたカラーネガフィルムＦ２のフィルム画像の読み取りが可能で、フィルム挿入口１０３にはスライドＦ１又はカラーネガフィルムＦ２のいずれもセット可能になっている。また、スリーブやカートリッジその他のフィルム収納方式に対応可能にしてもよい。
【００３２】
ホストＰＣ２００は、図１に示すように、制御本体２０１と、モニタ２０２（表示手段）と、キーボードからなる入力操作部２０３とを備えてなり、フィルムスキャナ１００は、ＵＳＢケーブル２１５を介して制御本体２０１に接続され、ホストＰＣ２００からの制御コマンドに従って画像読取動作が行われる。
【００３３】
すなわち、ホストＰＣ２００は、フィルム画像が必要になると、所定のコマンドをフィルムスキャナ１００に送出して、後述するフィルム画像のプレスキャン及び本スキャンを行わせる。フィルムスキャナ１００はホストＰＣ２００から送信されるコマンドに従って装置の初期化を行ったのち、ＣＣＤ１０４をフィルムＦのフィルム画像に対して相対的にスキャンしてフィルム画像のデータ（画像データ）を取り込み、各画像データに所定の画像処理を施した後、順次、ホストＰＣ２００に転送する。ホストＰＣ２００は転送された画像データを、ユーザの選択操作を受け付けるイメージ画像としてモニタ２０２に表示し（プレスキャン時）、或いは記録直前の画像としてモニタ２０２に表示するとともに、制御本体２０１内の後述する記憶部２３２に記憶（本スキャン時）する。
【００３４】
そして、ライン単位でフィルム画像の撮像及び画像データのホストＰＣ２００への転送が繰り返され、全フィルム画像を構成する画像データの転送が終了すると、フィルムスキャナ１００はフィルム画像の読取動作を終了する。
【００３５】
（全体的な電気的構成の説明）
図３は、本実施形態にかかる画像入力システム１の電気的構成を示すブロック図である。図３において、フィルムスキャナ１００は、ホストＰＣ２００に例えばＵＳＢ規格で接続され、ホストＰＣ２００上で起動する画像処理ソフトウェアをサポートするホストＰＣ２００の周辺装置として機能するものである。なお、フィルムスキャナ１００をホストＰＣ２００に接続するための規格は、上記のＵＳＢ規格に限らずＳＣＳＩ規格でもよい。
【００３６】
フィルムスキャナ１００は、光学系１０７、ＣＣＤ１０４、アンプ部１０８、クランプ回路部１０９、アナログマルチプレクサ１１０（以下、ＭＰＸ１１０という）、Ｄ／Ａコンバータ１１１、Ａ／Ｄコンバータ１１２、デジタル信号処理部１１３、出力データバッファ１１４、ＤＭＡコントローラ１１５、ＵＳＢコントローラ１１６、タイミング発生部１１７及び制御部１１８から構成されている。
【００３７】
光学系１０７は、詳細な説明は省略するが、光軸Ｌ上に配設された照明系１１９、レンズ系１０５、遮光板１２０及び図略の駆動系などから構成されている。前記照明系１１９は、例えば蛍光灯、クセノンランプあるいはハロゲンランプ等から構成されるランプを有し、フィルムＦを照明するものである。遮光板１２０は、レンズ系１０５とフィルムＦとの間に介設されている。遮光板１２０の適所にはスリット状の露光窓１２０ａが穿設されている。
【００３８】
駆動系は、フィルムスキャナ１００にセットされたフィルムＦと遮光板１２０の露光窓１２０ａとを所定の方向に相対移動させるものである。これにより、照明系１１９により照明されたフィルムＦの光像は、露光窓１２０ａによりスリット光像に分割されてＣＣＤ１０４に導かれるようになっている。
【００３９】
ＣＣＤ１０４は、例えばフォトダイオード等の複数の光電変換素子（画素）がライン状に１次元配列されたラインセンサが３本並列に配列されてなり、各ラインセンサの受光面にはそれぞれＲ（赤），Ｇ（緑），Ｂ（青）の色フィルタが配設され、受光面に結像したフィルム画像の光像を電気信号に変換して、ライン単位でＲ，Ｇ，Ｂ各色の画像信号として出力するカラーＣＣＤである。
【００４０】
アンプ部１０８は、Ｒ，Ｇ，Ｂ各チャンネルに対応して配設されたアンプ１０８Ｇ，１０８Ｒ，１０８Ｂを備える。アンプ１０８Ｒ，１０８Ｇ，１０８Ｂは、制御部１１８からＤ／Ａコンバータ１１１を介して入力されるアナログゲインによって、Ｒ，Ｇ，Ｂ各チャンネルの画像信号のゲイン調整を行うものである。このアナログゲインは、ホストＰＣ２００で算出される。
【００４１】
クランプ回路部１０９（クランプ回路１０９Ｇ，１０９Ｒ，１０９Ｂ）は、制御部１１８からＤ／Ａコンバータ１１１を介して入力されるクランプレベルによって、Ｒ，Ｇ，Ｂ各色の画像信号の黒レベルを、ＣＣＤ１０４の黒基準出力部から出力されるクランプレベルに調整するものである。またＭＰＸ１１０は、Ｒ，Ｇ，Ｂ各チャンネルの画像信号を選択的にシリアル出力するものである。
【００４２】
Ａ／Ｄコンバータ１１２は、アナログのＲ，Ｇ，Ｂの画像信号を、フィルムスキャナ固有のビット数、例えば１６ビットや１２ビットのデジタル信号にそれぞれ変換するものである。
【００４３】
デジタル信号処理部１１３は、デジタル化されたＲ，Ｇ，Ｂ各チャンネルの画像信号に、Ａ／Ｄコンバータ１１２への入力レベルのオフセットをキャンセルする黒補正、光学系１０７及びＣＣＤ１０４によって生じるシェーディングをキャンセルするシェーディング補正、Ｇ，Ｒ，Ｂ信号のγ変換等の処理を行うものである。黒補正は、露光窓１２０ａが閉じられた無信号状態でＣＣＤ１０４の１ライン分の画像信号を取り込み、この画像信号をホストＰＣ２００に転送する。シェーディング補正は、照明系１１９の照明光を直接ＣＣＤ１０４に入射して、すなわちフィルムＦの無い、素通しの状態でＣＣＤ１０４を照明して画像信号を取り込み、この画像信号をホストＰＣ２００に転送する。以下、デジタル信号処理部１１３により上記各処理が施された画像信号を画像データという。
【００４４】
出力データバッファ１１４は、Ｒ，Ｇ，Ｂの各色の画像データを一時的に記憶するメモリで、各画像データは、出力データバッファ１１４からＤＭＡコントローラ１１５とＵＳＢコントローラ１１６とを介してホストＰＣ２００に出力されるようになっている。
【００４５】
ＤＭＡコントローラ１１５は、制御部１１８からの制御信号に基づき、デジタル信号処理部１１３や出力データバッファ１１４と、ＵＳＢコントローラ１１６との間の画像データ等の転送を制御するものである。ＵＳＢコントローラ１１６は、フィルムスキャナ１００とホストＰＣ２００との間での画像データを含む種々のデータの送受信におけるインターフェース制御を行うものである。
【００４６】
タイミング発生部１１７は、制御部１１８からの制御信号に基づき、各部の駆動タイミングを制御するタイミング信号を出力するものである。ＣＣＤ１０４には、電荷の蓄積時間等を制御するタイミング信号が入力される。クランプ回路部１０９には、クランプレベル調整のタイミング信号が入力される。また、ＭＰＸ１１０及びＡ／Ｄコンバータ１１２には、それぞれ同期用のクロック信号が入力される。
【００４７】
なお、この種のフィルムスキャナ１００にあっては、Ｒ，Ｇ，Ｂ各色の露光時間を、被写体情報に応じて色毎に変えることが、きめ細やかな諧調を再現し高品質な画像を得るという点で望ましい。このため、後述の露光量制御部２０９においてＲ，Ｇ，Ｂの色別に露光パラメータ（露光時間）を設定可能とし、前記タイミング発生部１１７がかかる設定制御信号を受けて、ＣＣＤ１０４のＲ，Ｇ，Ｂ各色用画素の電荷転送タイミングを色別に設定された所定タイミングとする（つまり、Ｒ，Ｇ，Ｂの色別に本スキャンを行う）構成とすることが望ましい。これにより、濃度調整だけでなくホワイトバランスの制御も可能となり、ゲイン調整だけでは十分に再現できないような繊細な画像を形成することが可能となる。
【００４８】
制御部１１８は、例えば制御プログラムを記憶するＲＯＭ１２１や一時的にデータを記憶するＲＡＭ１２２が内蔵されたマイクロコンピュータからなり、フィルムスキャナ１００の各部の動作を制御するもので、フィルムＦのスキャンを行う際の光学系１０７や駆動系などの制御、ＵＳＢコントローラ１１６を介してホストＰＣ２００から送信される露光時間データに基づくタイミング発生部１１７のタイミング信号出力制御、ＵＳＢコントローラ１１６を介してホストＰＣ２００から送信されるアナログゲインに基づいてＤ／Ａコンバータ１１１を介して行うアンプ部１０８のゲイン調整制御等の機能を有している。
【００４９】
また、制御部１１８は、後述するホストＰＣ２００の制御部２０５（本スキャン制御部２３１又はプレスキャン制御部２１０）からの指令信号に基づいて、フィルム画像を撮像させて実際に画像を記録する撮像動作（本明細書ではこれを「本スキャン」という）、並びに前記本スキャンで画像データを取り込む際にユーザの好みの露光条件を設定するために、本スキャンの前にフィルム画像を予備的に撮像させる撮像動作（本明細書ではこれを「プレスキャン」という）を行う。前記本スキャン及びプレスキャンにて取り込まれた画像データは、出力データバッファ１１４からＤＭＡコントローラ１１５及びＵＳＢコントローラ１１６を介してホストＰＣ２００に転送される。
【００５０】
さらに、制御部１１８のＲＯＭ１２１には、Ａ／Ｄコンバータ１１２の出力信号のビット数情報やフィルムスキャナ１００の機種名情報を含むフィルムスキャナの種類に関する情報（スキャナ情報）が記憶されており、このスキャナ情報はスキャンを開始する際にホストＰＣ２００に送信される。なお、ホストＰＣ２００には、複数の機種のフィルムスキャナ１００が接続可能とされている。ホストＰＣ２００は、各機種のフィルムスキャナ１００のスキャナ情報を有しており、例えば起動時に、接続されているフィルムスキャナ１００の機種を判別する機能を備えている。
【００５１】
次に、ホストＰＣ２００について説明する。ホストＰＣ２００は、ＵＳＢコントローラ２０４、制御部２０５及びフレームメモリ２０６を備える制御本体２０１と、表示手段としてのモニタ２０２と、キーボードやマウス等からなる入力操作部２０３とから構成されている。
【００５２】
ＵＳＢコントローラ２０４は、フィルムスキャナ１００とホストＰＣ２００との間でのデータの送受信におけるインターフェース制御を行うものである。
【００５３】
制御部２０５は、機能的に、接続判定部２０７、データ受信部２０８、露光量制御部２０９（露光量制御手段）、プレスキャン制御部２１０、本スキャン制御部２３１、記憶部２３２及びデータ転送部２３３を備えている。
【００５４】
接続判定部２０７は、フィルムスキャナ１００が当該ホストＰＣ２００に接続されているか否かを判定するものである。データ受信部２０８は、フィルムスキャナ１００から送信される画像データやスキャナ情報を受信するものである。受信した画像データ等は、記憶部２３２に記録される。
【００５５】
露光量制御部２０９は、プレスキャン時及び本スキャン時における露光時間等の露光条件を設定するものである。前記プレスキャン時においては、露光量制御部２０９は予め定められた標準的な露光条件（露光時間）を設定し、制御部１１８を介して撮像動作を実行させる。前記本スキャン時においては、後述のプレスキャン制御部２１０における露光パラメータ算出部２２４により求められる露光パラメータに基づいて露光条件（露光時間）を設定する。なお、例えばＲ，Ｇ，Ｂの色別に本スキャンを実行させるような場合は、該露光量制御部２０９はＲ，Ｇ，Ｂの色別に露光パラメータ（露光時間）を設定する。また、後記で詳述するところの、プレスキャンにより撮像された画像をベースとして露光状態を異ならせた複数のイメージ画像を生成し露出候補選択を行う作業（以下、これを「ＡＥ候補選択」という）を行わない場合、プレスキャン画像に基づいてフィルム濃度を自動算出する等して、適宜な本スキャン時の露光時間を設定する。
【００５６】
プレスキャン制御部２１０は、プレスキャンの動作全般を制御する。すなわち、プレスキャン画像を得るための撮像動作、ＡＥ候補選択のための各種イメージ画像を生成してモニタ２０２へ表示させる動作、さらにはユーザにより選択されたイメージ画像に基づいて露光パラメータを算出する動作などを制御する。このプレスキャン制御部２１０の機能については、後に詳述する。
【００５７】
本スキャン制御部２３１は、本スキャンの動作全般を制御する。すなわち、露光量制御部２０９により設定された所定の露光条件でフィルムＦの撮像動作を実行させる。ＡＥ候補選択が実行された場合は、露光パラメータ算出部２２４により求められた露光パラメータを、本スキャンにおける露光パラメータとして用いて撮像動作を実行させる。なお、前述のようにＲ，Ｇ，Ｂの色別に露光パラメータが設定されている場合は、Ｒ，Ｇ，Ｂの色別に本スキャン撮像動作を実行させる。
【００５８】
記憶部２３２は、前述の通りデータ受信部２０９により受信された画像データ等を一時的に記憶する。また、プレスキャンが異なるフィルムについて複数回実行された場合には、フィルム識別符合等に関連づけて画像データを一時的に記憶する。さらには、ＡＥ候補選択においてユーザが複数のイメージ画像を選択したような場合は、各々のイメージ画像に関連付けて、露光パラメータ算出部２２４により求められた各々のイメージ画像についての露光パラメータを記憶する。
【００５９】
データ転送部２３３は、露光量制御部２０９にて設定された露光条件に関するデータを含む各種のデータを転送データ形式に変換するもので、変換された転送データは、ＵＳＢコントローラ２０４を介してフィルムスキャナ１００の各部に転送される。
【００６０】
フレームメモリ２０６（記憶手段）は、設定された露光条件で本スキャンして得られた１コマ分の画像データを記憶するものである。この画像データは、ユーザの操作により、モニタ２０２に画像として表示したり、ホストＰＣ２００が備えるメモリ部やホストＰＣ２００に装着される各種記録媒体に記録されたり、或いはインクジェットプリンタ等のプリンタ装置にて紙出力されたりする。
【００６１】
モニタ２０２（表示装置）は、ＬＣＤやＣＲＴ等からなり、フレームメモリ２０６に記憶されたフィルム画像を表示するものである。また、ＡＥ候補選択時において、複数のイメージ画像候補を表示し、ユーザのイメージ画像選択操作を当該画像上において受け付ける選択受付画面としても機能する。
【００６２】
入力操作部２０３は、フィルムスキャナ１００によるフィルムＦのスキャン開始の指示を行うための指示操作等の各種操作のほか、ＡＥ候補選択時において、モニタ２０２に表示された複数のイメージ画像候補の中から、ユーザが好むイメージ画像の選択操作等を行わせるものである。
【００６３】
（プレスキャン制御部２１０の詳細説明）
図４は、プレスキャン制御部２１０の機能を説明するための機能ブロック図である。このプレスキャン制御部２１０は、プレスキャン撮像制御部２１１、モード選択部２１２、第１イメージ画像生成部２１３、第２イメージ画像生成部２１６、表示制御部２２３及び露光パラメータ算出部２２４を備えている。なお、前記第１イメージ画像生成部２１３は、予め記憶させたフィルム銘柄毎のフィルム特性に応じて複数のイメージ画像を生成するモード（以下、このモードを「フィルム銘柄選択モード」という）を実行させるためのものであり、また前記第２イメージ画像生成部２１６は、濃度を異ならせた複数のイメージ画像を生成するモード（以下、このモードを「色選択モード」という）を実行させるためのものである。
【００６４】
プレスキャン撮像制御部２１１は、プレスキャン画像を得るためのプレスキャン撮像動作をＣＣＤ１０４に実行させるものである。このプレスキャンを行うにあたり、プレスキャン撮像制御部２１１は、予め定められた標準的な露光パラメータをＲＯＭ１２１などから読み出して露光量制御部２０９に設定し、標準的な露光条件でフィルムＦを撮像する撮像動作を行わせる。
【００６５】
モード選択部２１２は、前述のＡＥ候補選択を実行するか否か、及び前記フィルム銘柄選択モード、色選択モードのいずれを実行するかについてのユーザの選択操作を受け付ける。
【００６６】
第１イメージ画像生成部２１３は、前述の通りフィルム銘柄選択モードを実行させるものであり、フィルム銘柄選択部２１４と、フィルム特性記憶部２１５とを備えている。
【００６７】
フィルム銘柄選択部２１４は、各フィルムメーカが発売しているフィルム銘柄の各々が備えている固有のフィルム特性（例えば色調や諧調再現性など）に応じたイメージ画像を生成する。また、フィルム特性記憶部２１５は、ＲＯＭやＲＡＭ等からなり、前記フィルム銘柄選択部２１４にてフィルム銘柄毎のイメージ画像を生成する際の画像生成データを提供するべく、フィルムメーカが発売しているフィルム銘柄のフィルム特性を、フィルム銘柄に関連付けて記憶する。
【００６８】
図５は、前記フィルム銘柄選択部２１４により生成された複数のイメージ画像の、モニタ２０２への表示状態の一例を示すフィルム銘柄選択画面４０を示す図である。このフィルム銘柄選択画面４０は、デフォルト画像表示部４１と、フィルムメーカ名表示部４２と、サンプル画像であるフィルム銘柄毎のイメージ画像表示部４３とを備えている。
【００６９】
デフォルト画像表示部４１には、前記プレスキャン撮像制御部２１１による制御で撮像された標準的な露光条件によるフィルムＦの撮影画像が表示される。フィルムメーカ名表示部４２には、フィルムメーカ別に画面縦方向にメーカ表示欄４２１、４２２、４２３が設定され、フィルムメーカの名称が具体的に表示される。イメージ画像表示部４３には、当該フィルムメーカが市販しているフィルム銘柄毎に、イメージ画像が表示される。
【００７０】
具体的には、イメージ画像表示部４３は前記メーカ表示欄４２１、４２２、４２３にそれぞれ対応させて設定された、画面横方向へ延びるイメージ画像表示欄４３１、４３２、４３３が設けられており、これらイメージ画像表示欄４３１、４３２、４３３に、フィルムメーカ別に、フィルム銘柄毎のイメージ画像が表示されている。例えばイメージ画像表示欄４３１には、銘柄ＫＭ１に対応するイメージ画像４３１ａ、銘柄ＫＭ２に対応するイメージ画像４３１ｂ、及び銘柄ＫＭ３に対応するイメージ画像４３１ｃが個別に表示されている状態を示している。なお、符号４４１、４４２は画面のスライドバーを示しており、画面スクロールを行う場合に活用される。
【００７１】
一般にカラーネガフィルムは、その銘柄により色表現が微妙に異なる。すなわち、各々のフィルム銘柄の特徴として、色調や諧調再現性等のフィルム特性が異なるものとされている。例えば一般ユーザ向けのフィルムでは、デーライト光源にカラーバランスが合わされており、またプロ向けの人物・風景撮影用にはデーライト光源にカラーバランスが合わされ、プロ向けの商品写真用にはタングステン光源にカラーバランスが合わされている。イメージ画像表示部４３には、これらフィルム銘柄毎の色調や諧調再現性等のフィルム特性を踏まえた露光条件を設定した場合のイメージ画像が表示されるものである。すなわち、フィルム特性記憶部２１５は、このようなフィルム銘柄毎のフィルム特性をテーブル化して記憶しており、フィルム銘柄選択部２１４はデフォルト画像表示部４１に表示されているデフォルト画像に、前記フィルム特性記憶部２１５から読み出したフィルム特性に基づき銘柄毎の特性を加味したイメージ画像を生成する。
【００７２】
ユーザは、上記フィルム銘柄選択画面４０に表示されているイメージ画像の中から、好みのイメージ画像を選択（ＡＥ候補選択）することができる。例えば、フィルムスキャナ１００にセットしたフィルムＦの銘柄が判明している場合、その銘柄に相当するイメージ画像を選択すれば、そのフィルム銘柄における標準的な露光条件（露光パラメータ）が後述の露光パラメータ算出部にて求められることとなる。勿論、別のフィルム銘柄にかかるイメージ画像の中に好みのものが有れば、それを選択することも可能である。例えば、フィルムスキャナ１００にセットされているのは銘柄ＫＭ１であるが、銘柄ＫＭ３のイメージ画像の方が気に入った場合は、この銘柄ＫＭ３に基づくイメージ画像を選択してその露光条件で本スキャンを実行させることもできる。これは、同一フィルムメーカ間でも、異なるフィルムメーカ間でも同様である。
【００７３】
第２イメージ画像生成部２１６は、前述の通り「色選択モード」を実行させるためのものである。図６は、カラーネガフィルムの特性曲線を示すグラフ図である。図示する通りカラーネガフィルムは、ポジフィルムと異なり９ＥＶ（絞りで９段）程度の広いラチチュード（有効露光域）を備えている。これは、１枚のフィルム画像から多様な露光条件で有効な画像を取得できることに繋がる。
【００７４】
すなわち、ラチチュードが３ＥＶ程度あれば相応の諧調を備える色表現が可能なのであるが、カラーネガフィルムは９ＥＶものラチチュードを有していることから、１枚のフィルム画像から全く印象の異なる画像を取得しうる。つまり、図６に示すように、ラチチュードの低位領域〜高位領域を３領域程度に分け、それぞれをターゲットとして露出条件ＡＥ１〜ＡＥ３を設定しても、それぞれの露出条件ＡＥ１〜ＡＥ３において有効な画像が形成できる。従って第２イメージ画像生成部２１６は、このようなカラーネガフィルムのラチチュードの広さに着目し、広範なバリエーションのイメージ画像を生成して、ユーザの選択肢を拡大することを可能とするものである。
【００７５】
このような第２イメージ画像生成部２１６は、測光重点位置選択部２１７、ヒストグラム分布判定部２１８、露光基準選択部２１９、ＲＧＢＣＭＹ選択部２２０、撮影条件選択部２２１及び色温度／ＣＣ指数選択部２２２を備えている。
【００７６】
測光重点位置選択部２１７は、前記プレスキャンにより得られた画像において露出評価値（ヒストグラム情報）を取得するに当たり、当該画像に写っている被写体のいずれかの部分を重点的に測光して露出評価値を取得することを可能とするためのものである。すなわち、測光重点位置選択部２１７は、プレスキャン画像に対して測光重点位置の候補を定めた複数のイメージ画像を生成し、これをモニタ２０２に選択肢として一覧表示させると共に、ユーザの選択を受け付ける。例えば、フィルム画像に人物と背景とが撮像されているような場合において、人物を明瞭に撮像したいという作画意図があるときに、当該フィルム画像をプレスキャンして画像全体から露出評価値を取得しイメージ画像を生成するようにすると、人物ではなく背景の濃度を中心としてイメージ画像（ＡＥ候補）が生成されてしまうことが想定される。この場合、ユーザの作画意図にマッチするイメージ画像をサーチするのに時間を要してしまうケースもあり得ることから、当該測光重点位置選択部２１７により測光重点位置をユーザにおいて指定可能とするものである。
【００７７】
図７は、前記測光重点位置選択部２１７により生成された複数のイメージ画像の、モニタ２０２への表示状態の一例である測光重点位置選択画面５０を示す図である。この測光重点位置選択画面５０は、デフォルト測光位置表示部５１と、様々な測光位置表示がなされたイメージ画像を表示するイメージ画像表示部５２とを備えている。
【００７８】
デフォルト測光位置表示部５１は、デフォルトの測光位置を表示するものであり、通常はプレススキャン画像全体が測光領域として指定されている。なお、前回の選択操作で選択された測光重点位置をデフォルト測光位置として記憶させておき、このデフォルト測光位置表示部５１に表示させるようにしても良い。
【００７９】
イメージ画像表示部５２には、測光重点位置を様々な態様に異ならせたエリア表示を伴うイメージ画像がマトリクス状に配列されている。例えばイメージ画像５２１は、プレススキャン画像の上半分画像５２１ａと下半分画像５２１ｂとに区別し、前記上半分画像５２１ａが測光重点エリア５２１Ｌとされたイメージ画像である。またイメージ画像５２２は、プレススキャン画像の左半分画像５２２ａと右半分画像５２２ｂとに区別し、前記左半分画像５２２ａが測光重点エリア５２２Ｌとされたイメージ画像である。さらに、イメージ画像５２３は、プレススキャン画像の中央部画像５２３ａと周辺部画像５２３ｂとに区別し、前記中央部画像５２３ａが測光重点エリア５２３Ｌとされたイメージ画像である。同様に、イメージ画像５２４では背景のみが測光重点エリアとされ、またイメージ画像５２５では人物周辺のみが測光重点エリアとされたイメージ画像が表示されている。
【００８０】
ユーザは、このような測光重点位置選択画面５０を見て、どのエリアについて重点的に測光したいか（どの被写体をターゲットとしてＡＥ候補となるイメージ画像を表示させたいか）を選択することができる。なお、イメージ画像表示部５２に一枚の画像を表示し、測光重点エリアの位置や大きさをマウス操作等によりユーザが自在に設定できるようにしても良い。また、測光重点エリアがイメージ画像表示部５２から選定されない場合は、デフォルト測光位置表示部５１に表示されているエリア（図７の場合は画像全体）が測光重点エリアとされる。
【００８１】
ヒストグラム分布判定部２１８は、プレスキャン画像について、測光重点位置選択画面５０において選択されたイメージ画像の測光重点エリアに対応する部分画像の測光結果に基づいて、当該測光重点エリアのヒストグラムを生成する。さらにヒストグラム分布判定部２１８は、前記ヒストグラムに基づいて（濃度ピークを自動判定する等して）、所定の露光基準カテゴリーを設定する。例えば、露光基準濃度をシャドー部、平均値部及びハイライト部にそれぞれ定める場合の基準値をヒストグラムから判別するようにして、露光基準カテゴリーを設定させることができる。
【００８２】
露光基準選択部２１９は、ヒストグラム分布判定部２１８にて設定された露光基準カテゴリー毎に、複数のイメージ画像を生成し、これをモニタ２０２に選択肢として一覧表示させると共に、ユーザの選択を受け付ける。この場合、露光基準カテゴリー毎に、少しずつ露出基準濃度を変動させた複数のイメージ画像を生成して表示させるようにすることが望ましい。
【００８３】
図８は、前記露光基準選択部２１９により生成された複数のイメージ画像の、モニタ２０２への表示状態の一例である露出基準濃度選択画面６０を示す図である。この露出基準濃度選択画面６０は、ヒストグラム分布判定部２１８にて作成されるヒストグラムを表示するヒストグラム表示部６１と、露光基準カテゴリー毎のイメージ画像表示部である平均値基準画像表示部６２と、シャドー基準画像表示部６３と、ハイライト基準画像表示部６４とを備えている。
【００８４】
ヒストグラム表示部６１には、前記重点測光エリアにおける測光により取得された輝度値に基づき、ヒストグラム分布判定部２１８により作成されるヒストグラムが表示される。このヒストグラムには、輝度分布に基づきヒストグラム分布判定部２１８にて判別された３本の基準線６２０〜６４０が表示されている。これは前述の露光基準カテゴリーにおける各々の基準値を示すラインであって、この実施形態では平均値基準線６２０、シャドー基準線６３０及びハイライト基準線６４０の３つの区分が設定されている場合を示している。
【００８５】
これら３つの基準線６２０〜６４０にかかる値を露出基準濃度として、平均値基準画像表示部６２、シャドー基準画像表示部６３及びハイライト基準画像表示部６４において、それぞれ複数のイメージ画像（ＡＥ候補）が表示される。例えば平均値基準画像表示部６２においては、露出基準濃度を平均値部においたイメージ画像グループが表示されており、前記平均値基準線６２０に従った露光条件のイメージ画像６２１を中心として（このイメージ画像６２１が、当該露出基準濃度選択画面６０におけるデフォルト画像となる）、少しずつ露出基準濃度を変動させた複数のイメージ画像６２２〜６２５が表示されている。
【００８６】
すなわち、イメージ画像６２１の露出基準濃度よりもマイナス側（シャドー側）に濃度を順次振ったイメージ画像６２２、６２３が画面上側に、またイメージ画像６２１の露出基準濃度よりもプラス側（ハイライト側）に濃度を順次振ったイメージ画像６２４、６２５が画面下側にそれぞれ表示されている。同様に、シャドー基準画像表示部６３においては、露出基準濃度をシャドー部においたイメージ画像グループが表示されており、前記シャドー基準線６３０に従った露光条件のイメージ画像６３１を中心として、少しずつ露出基準濃度を変動させた複数のイメージ画像が表示されている。またハイライト基準画像表示部６４においては、露出基準濃度をハイライト部においたイメージ画像グループが表示されており、前記ハイライト基準線６４０に従った露光条件のイメージ画像６４１を中心として、少しずつ露出基準濃度を変動させた複数のイメージ画像が表示されている。
【００８７】
このような露出基準濃度選択画面６０から、ユーザは好みに応じて露出基準濃度をどこに置くかについての選択を行うのであるが、この際ユーザは、フィルム画像の暗部をターゲットとするシャドー基準画像表示部６３、平均値部をターゲットとする平均値基準画像表示部６２及び明るい部分をターゲットとするハイライト基準画像表示部６４から、まずは大別的に区画されたグループを選択し、続いて各グループにおいて好みのイメージ画像を選択できるので、速やかに好みのイメージ画像をサーチできるようになる。
【００８８】
上記露出基準濃度選択画面６０において、露光基準カテゴリーを５段階程度に細分化しても良い。また、各カテゴリーのイメージ画像グループにおいて、露出基準濃度を変動させる度合いをユーザが自在に設定できるようにすることが望ましい。
【００８９】
ＲＧＢＣＭＹ選択部２２０は、Ｒ（赤）、Ｇ（緑）、Ｂ（青）、Ｃ（シアン）、Ｍ（マゼンタ）及びＹ（黄）それぞれを基準とした（強調した）、複数の色補正イメージ画像を生成し、これをモニタ２０２に選択肢として一覧表示させると共に、ユーザの選択を受け付ける。この場合、それぞれの色毎に、少しずつ色補正度合いを変動させた複数のイメージ画像を生成して表示させるようにすることが望ましい。
【００９０】
図９は、前記ＲＧＢＣＭＹ選択部２２０により生成された複数のイメージ画像の、モニタ２０２への表示状態の一例であるＲＧＢＣＭＹ選択画面７０を示す図である。このＲＧＢＣＭＹ選択画面７０は、デフォルト画像表示部７１と、このデフォルト画像表示部７１の周囲に放射状に配置されたＲ強調イメージ画像表示部７２、Ｇ強調イメージ画像表示部７３、Ｂ強調イメージ画像表示部７４、Ｃ強調イメージ画像表示部７５、Ｍ強調イメージ画像表示部７６、Ｙ強調イメージ画像表示部７７、及びＲＧＢＣＭＹ値の変更量表示部７８を備えている。
【００９１】
前記デフォルト画像表示部７１には、先の露出基準濃度選択画面６０において選択された露出基準濃度のイメージ画像が表示される。なお、露出基準濃度選択が行われなかった場合は、露出基準濃度選択画面６０におけるデフォルト画像であるイメージ画像６２１が、このデフォルト画像表示部７１にそのまま表示されることとなる。
【００９２】
上記ＲＧＢＣＭＹの各イメージ画像表示部７２〜７７には、ＲＧＢＣＭＹのいずれかのゲインが、変更量表示部７８に設定された変更量に応じて段階的に順次強調されたイメージ画像が、デフォルト画像表示部７１を中心として放射状に表示されている。例えばＲ強調イメージ画像表示部７２では、デフォルト画像に対してＲ値が相対的に２０%強調されたイメージ画像７２１が、デフォルト画像表示部７１の左斜め上に隣接して表示され、また当該イメージ画像７２１に隣接して、さらにＲ値が２０%追加強調されたイメージ画像７２２が表示されている。他の色の各イメージ画像表示部７３〜７７についても同様である。従って、デフォルト画像表示部７１を囲むように同心円状に配置された各色のイメージ画像は、１段目の同心円についてはそれぞれの色値がデフォルト画像に対して２０％強調されたイメージ画像が、２段目の同心円についてはそれぞれの色値がデフォルト画像に対して４０％強調されたイメージ画像がそれぞれ表示されていることになる。
【００９３】
このようなＲＧＢＣＭＹ選択画面７０から、ユーザは好みの色補正が与えられたイメージ画像の選択を行うことができる。当該ＲＧＢＣＭＹ選択画面７０において、各色のイメージ画像を放射状に配置した例を示したが、これを行列配置するようにしても良い。また、変更量表示部７８の変更量をユーザが自在に設定できるようにすることが望ましい。
【００９４】
撮影条件選択部２２１は、撮影光源の状態に応じた複数のイメージ画像を生成し、これをモニタ２０２に選択肢として一覧表示させると共に、ユーザの選択を受け付ける。すなわち、一般に被写体を撮像する場合において、光源の性質が異なると、その色温度の相違により印象が異なる画像が撮像されることになるが、撮影条件選択部２２１は様々な典型的光源の種別（色温度）を想定した補正係数をデフォルト画像に与えることで複数のイメージ画像を生成し、ユーザに色再現の選択肢を提供するものである。この場合、それぞれの光源毎に、少しずつ各光源の特徴度合いを変動させた複数のイメージ画像を生成して表示させるようにすることが望ましい。
【００９５】
図１０は、前記撮影条件選択部２２１により生成された複数のイメージ画像の、モニタ２０２への表示状態の一例である撮影条件選択画面８０を示す図である。この撮影条件選択画面８０は、光源種別表示部８１と、それぞれの光源毎のデフォルト値によるイメージ画像を表示するデフォルト画像表示部８２と、前記デフォルト値から各光源の特徴を弱めたイメージ画像を表示する第１画像表示部８３と、前記デフォルト値から各光源の特徴を強めたイメージ画像を表示する第２画像表示部８４とを備えている。
【００９６】
光源種別表示部８１には、想定される各種の光源種別が列挙される。この実施形態では、自然光源の例として、デーライト、日陰、曇天及び夕方の４タイプが設定され、また人工光源の例として、タングステン光源、フラッシュ光源（クセノン光源）、蛍光灯の昼光色、白色、昼白色の５タイプが設定されている例を示している。
【００９７】
デフォルト画像表示部８２には、光源種別表示部８１に挙げられた各光源の典型的色温度に基づいて生成されたイメージ画像が表示される。例えばデーライトの場合、５５００Ｋの色温度で生成されたイメージ画像８２１が、デフォルト画像表示部８２に表示される。そして第１画像表示部８３には、これよりも色温度を所定値だけ弱めたイメージ画像８３１が表示され、一方第２画像表示部８４には、逆に色温度を所定値だけ強めたイメージ画像８４１が表示される。他の光源についても同様である。
【００９８】
このような撮影条件選択画面８０から、典型的な光源種別に応じて、ユーザは好みの色再現がなされたイメージ画像の選択を行うことができる。当該撮影条件選択画面８０において、光源種別表示部８１に列挙する光源種別をユーザが独自に設定できるようにしても良い。また、図９に示すＲＧＢＣＭＹ選択画面７０の変更量表示部７８のように、第１画像表示部８３及び第２画像表示部８４に表示させるイメージ画像のデフォルト画像に対する変更量を設定する表示部を設けても良い。
【００９９】
色温度／ＣＣ指数選択部２２２は、前述の撮影条件選択画面８０のように色温度を典型化された光源種別として選択するのではなく、色温度を数値的に選択可能とするもので、さらに色調補正のためにＣＣ（カラーコンペンセイト）指数も数値的に選択可能とするものである。すなわち色温度／ＣＣ指数選択部２２２は、色温度及びＣＣ指数を変化させた複数の色補正イメージ画像を生成し、これをモニタ２０２に選択肢として一覧表示させると共に、ユーザの選択を受け付ける。
【０１００】
図１１は、前記色温度／ＣＣ指数選択部２２２により生成された複数のイメージ画像の、モニタ２０２への表示状態の一例である色温度／ＣＣ指数選択画面９０を示す図である。この色温度／ＣＣ指数選択画面９０は、色温度及びＣＣ指数を簡易的に選択可能とした画面であって、デフォルト画像表示部９１と、色温度値の増減軸９２（横軸）及びＣＣ指数の増減軸９３（縦軸）に沿ってマトリクス状に配置された複数のイメージ画像とを備えている。
【０１０１】
デフォルト画像表示部９１には、例えば先の露出基準濃度選択画面６０において選択された露出基準濃度のイメージ画像が表示される。なお、露出基準濃度選択が行われなかった場合は、露出基準濃度選択画面６０におけるデフォルト画像であるイメージ画像６２１が、このデフォルト画像表示部７１にそのまま表示されることとなる。
【０１０２】
デフォルト画像表示部９１の周囲には、色温度及び／又はＣＣ指数が段階的に変化された複数のイメージ画像が表示されている。すなわち、前記色温度値の増減軸９２に沿って値減少側（図中左側）には、ＣＣ指数がデフォルト値であって、概ね８００Ｋ単位程度ずつ順次色温度値が減少されたイメージ画像９２１、９２２、９２３が表示され、値増加側（図中右側）には、同じく８００Ｋ単位程度ずつ順次色温度値が増加されたイメージ画像９２４、９２５、９２６が表示されている。またＣＣ指数の増減軸９３に沿って指数増加側（図中上側）には、色温度値がデフォルト値であって、１０単位でＣＣ指数が増加されたイメージ画像９３１、９３２が表示され、指数減少側（図中下側）には、１０単位でＣＣ指数が減少されたイメージ画像９３３、９３４が表示されている。その他のイメージ画像は、色温度及びＣＣ指数をそれぞれの増減軸９２、９３に応じて複合的に増減させてなるイメージ画像である。
【０１０３】
このような色温度／ＣＣ指数選択画面９０から、ユーザは好みの色再現がなされたイメージ画像の簡易選択を行うことができる。当該色温度／ＣＣ指数選択画面９０において、色温度及びＣＣ指数の変動単位（表示単位）をユーザが自在に設定できるようにすることが望ましい。
【０１０４】
上記色温度／ＣＣ指数選択画面９０のように、色温度及びＣＣ指数を変化させた複数のイメージ画像を表示させて簡易的に選択する画面に代えて、ユーザが色温度及びＣＣ指数を微調整できるような詳細選択画面とすることもできる。図１２は、このような詳細選択画面のモニタ２０２への表示状態の一例である詳細色温度／ＣＣ指数選択画面９００を示す図である。この詳細色温度／ＣＣ指数選択画面９００は、色温度設定用コントローラ部９４と、ＣＣ指数設定用コントローラ部９５と、サンプル画像（イメージ画像）表示エリア９６とを備えている。
【０１０５】
色温度設定用コントローラ部９４は、色温度値を選定するコントロールバー９４１と、該コントロールバー９４１による色温度選択値を表示する表示部９４２とからなる。またＣＣ指数設定用コントローラ部９５は、ＣＣ指数を選定するコントロールバー９５１と、該コントロールバー９５１によるＣＣ指数選択値を表示する表示部９５２とからなる。さらにサンプル画像表示エリア９６は、色温度設定用コントローラ部９４及びＣＣ指数設定用コントローラ部９５により選定されている色温度及びＣＣ指数（表示部９４２、９５２に表示されている色温度及びＣＣ指数）に応じて、そのイメージ画像を表示するものである。
【０１０６】
このような詳細色温度／ＣＣ指数選択画面９００に基づいて、色温度設定用コントローラ部９４及びＣＣ指数設定用コントローラ部９５により色温度及びＣＣ指数を適宜調整することで、実質的に複数のイメージ画像を生成できるようになり、ユーザは好みの色再現がなされたイメージ画像を選択することができる。当該詳細色温度／ＣＣ指数選択画面９００において、例えばサンプル画像表示エリア９６を２分割し、色温度及びＣＣ指数の調整前及び調整後のイメージ画像をそれぞれ表示可能とすることが望ましい。
【０１０７】
表示制御部２２３は、各種画像表示プログラム等を備え、前記第１イメージ画像生成部２１３及び第２イメージ画像生成部２１６で生成されるイメージ画像を、モニタ２０２へ所定の画像形式、レイアウトで表示させると共に、各々のＡＥ候補選択画面においてユーザの選択を受け付けることができるような画像表示を行わせるものである。
【０１０８】
露光パラメータ算出部２２４は、上述のフィルム銘柄選択画面４０、ＲＧＢＣＭＹ選択画面７０、撮影条件選択画面８０、色温度／ＣＣ指数選択画面９０若しくは詳細色温度／ＣＣ指数選択画面９００において表示されたイメージ画像（ＡＥ候補）において、ユーザにより選択されたイメージ画像に基づいて露光パラメータを算出する。すなわち、ユーザが自身の作画意図にマッチする適宜なイメージ画像を選択した場合において、その選択イメージ画像に相当する画像を本スキャンで得るために、前記選択イメージ画像において設定されている露光時間や色選択情報等に応じて、所定の本スキャン用露光パラメータを算出するものである。なお、本スキャンがＲ、Ｇ、Ｂの色別に実行される場合は、各色ごとの露光条件（露光時間）が算出される。
【０１０９】
（画像入力システムの動作フローの説明）
続いて、以上の通り構成された画像入力システム１によるフィルム画像読取処理について説明する。図１３は、本実施形態にかかる画像入力システム１によるフィルム画像読取処理の全体的なフローを示すフローチャートであり、図１４は、色選択モードの詳細処理を示すフローチャートである。
【０１１０】
図１３のフローチャートにおいて、先ずユーザが読み取りを希望するフィルムＦが、フィルムスキャナ１００にセットされる（ステップＳ１１）。この際、ホストＰＣ２００は、接続判定部２０７によりフィルムスキャナ１００が正しく接続されているか否かを判定する。
【０１１１】
フィルムＦのセットが完了したら、入力操作部２０３によりプレスキャン開始の指示が制御部２０５に与えられ、これを受けてプレスキャン撮像制御部２１１によりフィルムスキャナ１００に所定の動作信号が送信され、プレスキャン撮像動作が実行される（ステップＳ１２）。これにより、標準的な露光条件で撮像されたプレスキャン画像が取得されることとなる。このプレスキャン画像データは、ＵＳＢコントローラ１１６を介してホストＰＣ２００に送信され、その記憶部２３２に一時的に格納されると共に、基本画像としてモニタ２０２に表示される（ステップＳ１３）。この画像表示により、ユーザはフィルム画像の画質等について大まかな感触をつかむことができる。なお、ユーザが他のフィルムＦの読み取り処理を希望する場合は、同様の処理が複数回実行される。
【０１１２】
続いて、ＡＥ候補選択を実行するか否かが確認される（ステップＳ１４）。ＡＥ候補選択を実行する場合（ステップＳ１４でＹＥＳ）、フィルム銘柄選択モード若しくは色選択モードのいずれを実行するかが確認される（ステップＳ１５）。これらの選択は、例えばモード選択部２１２により生成されるモニタ２０２上の選択肢表示画面にて、ユーザの選択操作を受け付けることで実行される。
【０１１３】
ステップＳ１５でフィルム銘柄選択モードが選ばれた場合、図５に示すようなフィルム銘柄選択画面４０がモニタ２０２上に表示される（ステップＳ１６）。すなわち、ステップＳ１２で得られたプレスキャン画像をベースとして、第１イメージ画像生成部２１３のフィルム特性記憶部２１５に記憶されているフィルム銘柄毎のフィルム特性に応じたイメージ画像が、フィルム銘柄選択部２１４により生成される。これらフィルム銘柄毎のイメージ画像は、フィルム銘柄選択画面４０のイメージ画像表示部４３へ表示される。なお、デフォルト画像表示部４１には、この場合前記ステップＳ１３の基本画像が表示されることとなる。
【０１１４】
このようなフィルム銘柄選択画面４０に表示されている複数のイメージ画像の中からから、ユーザにより好みのイメージ画像が選択される（ステップＳ１７）。この選択されたイメージ画像に関する各種データは、記憶部２３２に格納される。続いて、別のイメージ画像を選択するか否かが確認される（ステップＳ１８）。例えば、１枚のフィルム画像について複数のイメージ画像の選択を希望する場合や、プレスキャンを複数実行した場合に次のフィルム画像についてのイメージ画像の選択を希望する場合、さらには色選別モードの実行を希望する場合等、新たなイメージ画像の選択が行われる場合は（ステップＳ１８でＮＯ）、ステップＳ１４に戻って処理が繰り返される。
【０１１５】
一方、新たなイメージ画像の選択が行われない場合は（ステップＳ１８でＹＥＳ）、選択されたイメージ画像に基づいて、露光パラメータ算出部２２４により露光パラメータが算出される（ステップＳ１９）。そして、この算出された露光パラメータは露光量制御部２０９へ送られ、本スキャンにおける露光パラメータとして露光条件（露光時間等）の設定に活用されるものである（ステップＳ２０）。
【０１１６】
上記ステップＳ１５で色選択モードが選ばれた場合、第２イメージ画像生成部２１６が専ら機能して、ステップＳ３０の色選択モードが実行される。当該色選択モードについて、図１４に示すフローチャートに基づいて詳述する。色選択モードに入ると、先ず測光重点位置選択を実行するか否かが確認される（ステップＳ３１）。測光重点位置選択が実行される場合（ステップＳ３１でＹＥＳ）、測光重点位置選択部２１７により、例えば図７に示すような測光重点位置選択画面７０が生成される（ステップＳ３２）。ユーザは、この測光重点位置選択画面７０を参照して、どの被写体をターゲットとしてＡＥ候補となるイメージ画像を表示させたいかを勘案して、適宜な測光重点エリアを備えるイメージ画像を選択する（ステップＳ３３）。
【０１１７】
次に、露出基準選択を実行するか否かが確認される（ステップＳ３４）。なお、上記ステップＳ３１において、測光重点位置選択が実行されない場合（ステップＳ３１でＮＯ）は、このステップＳ３４にスキップされる。露出基準選択が実行される場合（ステップＳ３４でＹＥＳ）、ヒストグラム分布判定部２１８により前記測光重点エリア（測光重点位置選択が実行されなかった場合は画像全体）のヒストグラムが作成され（ステップＳ３５）、このヒストグラムに基づきハイライト基準、シャドー基準或いは平均値基準などの所定の露光基準カテゴリーが設定される。
【０１１８】
その後、前記露光基準カテゴリー別に、例えば図８に示すような露出基準濃度選択画面８０が露光基準選択部２１９により生成され、これがモニタ２０２へ表示される（ステップＳ３７１）。かかる露出基準濃度選択画面８０において、ユーザが望む適宜な露出基準濃度を備えたイメージ画像が選択される（ステップＳ３８）。
【０１１９】
一方、露出基準選択が実行されない場合は（ステップＳ３４でＮＯ）、同様にヒストグラム分布判定部２１８により前記測光重点エリア（測光重点位置選択が実行されなかった場合は画像全体）のヒストグラムが作成された後（ステップＳ３６）、露光基準カテゴリーに分類されることなく、例えば輝度平均値をデフォルト露出基準濃度として露出基準濃度を増減させた複数のイメージ画像が選択候補として単純に表示される（ステップＳ３７２）。そして、上述のステップＳ３８に移って、ユーザが望む適宜な露出基準濃度を備えたイメージ画像が選択されるものである。
【０１２０】
しかる後、ＲＧＢＣＭＹ選択処理、撮影条件選択処理、或いは色温度／ＣＣ指数選択処理に移行するのであるが、これらの処理は互いに補完関係がなくパラレルには実行できないことから、いずれかの処理が選択的に実行されることとなる。
【０１２１】
例えば、先ずはＲＧＢＣＭＹ選択処理が実行されるかが確認され（ステップＳ３９）、当該処理が実行されない場合は（ステップＳ３９でＮＯ）、続いて撮影条件選択処理が実行されるかが確認され（ステップＳ４１）、さらに当該処理が実行されない場合は（ステップＳ４１でＮＯ）、続いて色温度／ＣＣ指数選択処理が実行されるかが確認される（ステップＳ４３）こととなる。なお、いずれの処理も実行されない場合（ステップＳ４３でＮＯ）、そのまま色選択モードは終了し、上記ステップＳ３８で選択されたイメージ画像が選択画像と扱われることとなる。
【０１２２】
一方ＲＧＢＣＭＹ選択処理が選ばれた場合（ステップＳ４０でＹＥＳ）、ＲＧＢＣＭＹ選択部２２０により、例えば図９に示すようなＲＧＢＣＭＹ選択画面７０が生成され、これがモニタ２０２へ表示される（ステップＳ４０）。そして、このＲＧＢＣＭＹ選択画面７０において、好みの色補正が与えられたイメージ画像がユーザにより選択される（ステップＳ４７）。
【０１２３】
また、撮影条件選択処理が選ばれた場合（ステップＳ４１でＹＥＳ）、撮影条件選択部２２１により、例えば図１０に示すような撮影条件選択画面８０が生成され、これがモニタ２０２へ表示される（ステップＳ４２）。そして、この撮影条件選択画面８０において、典型的な光源種別に応じた色再現が為されたイメージ画像の中から、ユーザが好むイメージ画像が選択されるものである（ステップＳ４７）。
【０１２４】
さらに、色温度／ＣＣ指数選択処理が選ばれた場合（ステップＳ４３でＹＥＳ）、色温度／ＣＣ指数選択部２２２が機能して色温度及びＣＣ指数の選択が可能とされる。この場合、色温度及びＣＣ指数について詳細な選択を行うか否かが確認され（ステップＳ４４）、簡易モードでの選択が行われる場合は（ステップＳ４４でＮＯ）、色温度／ＣＣ指数選択部２２２により、例えば図１１に示すような色温度／ＣＣ指数選択画面９０が生成され、これがモニタ２０２へ表示される（ステップＳ４２）。そして、この色温度／ＣＣ指数選択画面９０において、好みの色再現が為されたイメージ画像が、ユーザにより選択される（ステップＳ４７）。
【０１２５】
また、上記ステップＳ４４において詳細モードでの選択が行われる場合は（ステップＳ４４でＹＥＳ）、色温度／ＣＣ指数選択部２２２により、例えば図１２に示すような詳細色温度／ＣＣ指数選択画面９００が生成され、これがモニタ２０２へ表示される（ステップＳ４６）。そして、この詳細色温度／ＣＣ指数選択画面９００において、ユーザの作画意図にマッチする色再現が為されたイメージ画像が、色温度設定用コントローラ部９４及びＣＣ指数設定用コントローラ部９５の調整により生成され、そのようなイメージ画像が所望のイメージ画像としてユーザにより選択される（ステップＳ４７）。
【０１２６】
ステップＳ４７にて、ＲＧＢＣＭＹ選択処理、撮影条件選択処理、或いは色温度／ＣＣ指数選択処理のいずれかにより、好みのイメージ画像が選択されたならば、ステップＳ１８（図１３）に移行し、別のイメージ画像を選択するか否かが確認される。新たなイメージ画像の選択が行われる場合は（ステップＳ１８でＮＯ）、ステップＳ１５に戻って処理が繰り返され、新たなイメージ画像の選択が行われない場合は（ステップＳ１８でＹＥＳ）、選択されたイメージ画像に基づいて、露光パラメータ算出部２２４により露光パラメータが算出される（ステップＳ１９）。かかる露光パラメータは露光量制御部２０９へ送られ、本スキャンにおける露光パラメータとして露光条件（露光時間等）の設定に活用される（ステップＳ２０）。
【０１２７】
なお、ユーザがＡＥ候補選択の実行を望まなかった場合は（ステップＳ１４でＮＯ）、従来の一般的な画像入力システムと同様に、ステップＳ１２にて取得されたプレスキャン画像に基づいて露出パラメータが自動算出され（ステップＳ２１）、当該露出パラメータに基づいて本スキャンにおける露光量が設定されることとなる（ステップＳ２０）。
【０１２８】
しかる後、ユーザの入力操作部２０３からの操作を受けて、本スキャン制御部２３１によりフィルムＦの本スキャンが実行される（ステップＳ２２）。続いて本スキャンを実行するかが確認され（ステップＳ２３）、複数のイメージ画像が選択されているような場合は（ステップＳ２３でＮＯ）、ステップＳ２０に戻って、別の選択イメージ画像に基づく露光量の設定を行い、再び本スキャンが実行される。
【０１２９】
一方、本スキャンが全て完了した場合（ステップＳ２３でＹＥＳ）、前記本スキャンで取得された画像データが保存される。具体的には、ホストＰＣ２００に備えられているフレームメモリ２０６に当該画像データ格納される（ステップＳ２４）。或いは、この画像データをモニタ２０２へ表示させたり、図略のプリンタ等を用いて用紙上に画像形成したりする処理が必要に応じて実行される。さらにこの画像データに対して、適宜な画像処理ソフトを用いてホワイトバランス調整などの画像処理を加えたりすることも可能である。
【０１３０】
以上、本発明の実施形態につき説明したが、上述の画像入力システム１が行うフィルム画像読取処理（画像入力システム１が行う画像入力方法）を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読み取り可能な記録媒体にて記録させて、プログラム製品として提供することもできる。若しくは、コンピュータに内蔵するハードディスクなどの記録媒体にて記録させて、プログラムを提供することもできる。また、ネットワークを介したダウンロードによって、プログラムを提供することもできる。
【図面の簡単な説明】
【０１３１】
【図１】本発明の実施形態にかかる画像入力システムの全体構成図である。
【図２】フィルムスキャナの外観を示す斜視図である。
【図３】実施形態にかかる画像入力システムの電気的構成を示すブロック図である。
【図４】プレスキャン制御部の機能を説明するための機能ブロック図である。
【図５】フィルム銘柄選択画面の一例を示す平面図である。
【図６】カラーネガフィルムの特性曲線を示すグラフ図である。
【図７】測光重点位置選択画面の一例を示す平面図である。
【図８】露出基準濃度選択画面の一例を示す平面図である。
【図９】ＲＧＢＣＭＹ選択画面の一例を示す平面図である。
【図１０】撮影条件選択画面の一例を示す平面図である。
【図１１】色温度／ＣＣ指数選択画面の一例を示す平面図である。
【図１２】詳細色温度／ＣＣ指数選択画面の一例を示す平面図である。
【図１３】本実施形態にかかる画像入力システムによるフィルム画像読取処理の全体的なフローを示すフローチャートである。
【図１４】色選択モードの詳細処理を示すフローチャートである。
【符号の説明】
【０１３２】
１      画像入力システム
１００  フィルムスキャナ
１０４  ＣＣＤ（撮像手段）
２００  ホストＰＣ
２０２  モニタ（表示手段）
２０３  入力操作部
２０５  制御部
２０６  フレームメモリ（記憶手段）
２０９  露光量制御部（露光量制御手段）
２１０  プレスキャン制御部
２１１  プレスキャン撮像制御部
２１２  モード選択部
２１３  第１イメージ画像生成部（イメージ画像生成部）
２１４  フィルム銘柄選択部
２１５  フィルム特性記憶部
２１６  第２イメージ画像生成部（イメージ画像生成部）
２１７  測光重点位置選択部
２１８  ヒストグラム分布判定部
２１９  露光基準選択部
２２０  ＲＧＢＣＭＹ選択部
２２１  撮影条件選択部
２２２  色温度／ＣＣ指数選択部
２２３  表示制御部
２２４  露光パラメータ算出部
２３１  本スキャン制御部
２３２  記憶部
４０    フィルム銘柄選択画面
５０    測光重点位置選択画面
６０    露出基準濃度選択画面
７０    ＲＧＢＣＭＹ選択画面
８０    撮影条件選択画面
９０    色温度／ＣＣ指数選択画面
９００  詳細色温度／ＣＣ指数選択画面
Ｆ      フィルム
【図１】
2006115209.tif 000003
【図２】
2006115209.tif 000004
【図３】
2006115209.tif 000005
【図４】
2006115209.tif 000006
【図５】
2006115209.tif 000007
【図６】
2006115209.tif 000008
【図７】
2006115209.tif 000009
【図８】
2006115209.tif 000010
【図９】
2006115209.tif 000011
【図１０】
2006115209.tif 000012
【図１１】
2006115209.tif 000013
【図１２】
2006115209.tif 000014
【図１３】
2006115209.tif 000015
【図１４】
2006115209.tif 000016